(57)【要約】      （修正有）【課題】ペットの成長に合せてメッシュ状のカバー部材の取り外しが可能であるとともに、このカバー部材の使用の際にも衛生的であり、シーツ交換が容易なペット用トイレの提供。【解決手段】周縁から立ち上げた周壁部を有するトイレ本体１０と、前記トイレ本体１０の周壁部１２に重ねる枠部材２０と、前記枠部材２０の上に重ねるカバー部材３０と、を備え、前記枠部材２０は開口部２１と、前記開口部２１の周縁から立ち上げた枠周壁部２２を有し、前記カバー部材３０は前記枠部材２０の開口部２１に位置するメッシュ部３１と、前記メッシュ部３１の周縁から一体的に立ち上げたカバー周壁部３２を有し、前記トイレ本体１０の上に載置したシーツを前記枠部材２０にて押え固定するものであり、前記カバー部材３０のカバー周壁部３２が前記枠部材２０の枠周壁部２２に重なるように配置されていることを特徴とする。【選択図】図１
2019115317.tif 000002
【特許請求の範囲】
【請求項１】
周縁から立ち上げた周壁部を有するトイレ本体と、
前記トイレ本体の周壁部に重ねる枠部材と、
前記枠部材の上に重ねるカバー部材と、を備え、
前記枠部材は開口部と、前記開口部の周縁から立ち上げた枠周壁部を有し、
前記カバー部材は前記枠部材の開口部に位置するメッシュ部と、前記メッシュ部の周縁から一体的に立ち上げたカバー周壁部を有し、
前記トイレ本体の上に載置したシーツを前記枠部材にて押え固定するものであり、
前記カバー部材のカバー周壁部が前記枠部材の枠周壁部に重なるように配置されていることを特徴とするペット用トイレ。
【請求項２】
前記カバー部材は、前記枠部材に着脱可能になっていることを特徴とする請求項１記載のペット用トイレ。
【請求項３】
前記枠部材は、前記トイレ本体に開閉自在及び着脱自在に枢着してあることを特徴とする請求項１記載のペット用トイレ。
【請求項４】
前記カバー部材が前記枠部材に取り付けられた状態で前記トイレ本体に開閉自在に枢着してあることを特徴とする請求項２記載のペット用トイレ。
【発明の詳細な説明】
【技術分野】
【０００１】
本発明は犬等のペット用のトイレに関し、特に尿吸収性のシーツを敷設するトイレに係る。
【背景技術】
【０００２】
シーツを敷設したペット用トイレの分野にあっては、ペットのしつけが充分になされるまではシーツを掻きむしる恐れが高いことからトイレ本体に敷いたシーツの表面部をメッシュ部材でカバーするものが知られている（特許文献１）。
同公報には押え枠にメッシュ構造からなるカバー部を一体成形にて設けたものと、押え枠でカバー部の周辺部をトイレ本体に押えるように固定するものが開示されている。
しかし、押え枠にカバー部を一体成形したものはペットが成長し、しつけが完了してもメッシュ状のカバー部を取り外すことができない。
一方、別部材のカバー部を押え枠でトイレ本体に押え固定するものは、網目シート状のカバー部と、このカバー部の周縁部を押える押え枠との間に汚れが溜まりやすく、不衛生になりやすい問題がある。
また、同公報に開示する押え枠はトイレ本体の両側に対向して設けた一対の固定具で固定する構造になっているため、両手で固定具を取り外すことが必要であり、押え枠を片手で開閉することができないものとなっており、シーツ交換が大変であった。
【先行技術文献】
【特許文献】
【０００３】
【特許文献１】特許第４１２６３１１号公報
【発明の概要】
【発明が解決しようとする課題】
【０００４】
本発明は、ペットの成長に合せてメッシュ状のカバー部材の取り外しが可能であるとともに、このカバー部材の使用の際にも衛生的であり、シーツ交換が容易なペット用トイレの提供を目的とする。
【課題を解決するための手段】
【０００５】
本発明に係るペット用トイレは、周縁から立ち上げた周壁部を有するトイレ本体と、前記トイレ本体の周壁部に重ねる枠部材と、前記枠部材の上に重ねるカバー部材と、を備え、前記枠部材は開口部と、前記開口部の周縁から立ち上げた枠周壁部を有し、前記カバー部材は前記枠部材の開口部に位置するメッシュ部と、前記メッシュ部の周縁から一体的に立ち上げたカバー周壁部を有し、前記トイレ本体の上に載置したシーツを前記枠部材にて押え固定するものであり、前記カバー部材のカバー周壁部が前記枠部材の枠周壁部に重なるように配置されていることを特徴とする。
この場合に、前記カバー部材は、前記枠部材に着脱可能になっているのが好ましい。
【０００６】
ここでトイレ本体は、尿吸収性のシーツを敷くための載置部を有し、その周囲から立ち上げ、この載置部を取り囲むように設けた周壁部を有する。
ペットが例えば幼く、しつけが充分でない段階ではカバー部材を枠部材に取り付けて使用することでシーツが掻きむしられるのを防止することができるとともに、カバー部材はメッシュ部の周縁から一体的に立ち上げた周壁部を有するので、メッシュ部の周縁部に汚れが溜まるのを抑え洗浄もしやすい。
なお、メッシュ部の周縁から一体的に周壁部を立設する際に、緩やかな曲面状に立ち上げるのが好ましい。
また、しつけが完了すると、カバー部材を取り外してペット用トイレを使用することができる。
【０００７】
本発明において、前記枠部材は、前記トイレ本体に開閉自在及び着脱自在に枢着してあってもよい。
このように開閉自在であると、片手で枠部材の一方の辺部を持ち上げるように開き、他方の手でシーツを交換することができる。
また、これによりカバー部材が前記枠部材に取り付けられた状態で前記トイレ本体に開閉自在に枢着可能となる。
【発明の効果】
【０００８】
本発明に係るペット用トイレは、メッシュ部の周縁部から一体的に立ち上げた周壁部を有するので尿が周囲に飛散するのを抑えるとともに、メッシュ部から連続的に周壁部が形成されているので衛生的である。
また、枠部材をトイレ本体に開閉自在に枢着すると、シーツの交換が容易になる。
【図面の簡単な説明】
【０００９】
【図１】本発明に係るペット用トイレの分解図を示す。
【図２】（ａ）はペット用トイレの斜視図、（ｂ）は平面図を示す。
【図３】（ａ）はＡ−Ａ線断面図、（ｂ）はＢ−Ｂ線断面図、（ｃ）はＣ−Ｃ線断面図、（ｄ）はＤ−Ｄ線断面図を示す。
【図４】（ａ）は全体の正面図、（ｂ）はカバー部材の正面図、（ｃ）枠部材の正面図、（ｄ）はトイレ本体の正面図を示す。
【図５】（ａ）は全体の側面図、（ｂ）カバー部材の側面図、（ｃ）枠部材の側面図、（ｄ）はトイレ本体の側面図を示す。
【図６】（ａ）は枠部材をトイレ本体に枢着した状態、（ｂ）は枢着部を外した状態を示す。
【図７】枠部材とトイレ本体との枢着部の断面図を示し、（ａ）は閉じた状態、（ｃ）は開いた状態を示す。
【図８】カバー部材を取り外した状態を示す。
【図９】（ａ）は枠部材の裏面図、（ｂ）はトイレ本体の平面図を示す。
【図１０】（ａ）はトイレ本体に対してカバー部材と一緒に枠部材を開いた状態を示し、（ｂ）は枢着部の断面斜視図を示す。
【図１１】枠部材を閉じた状態の断面斜視図を示す。
【図１２】カバー部材を取り外した状態を示す。
【発明を実施するための形態】
【００１０】
本発明に係るペット用トイレの構成例を以下、図面に基づいて説明するが本発明はこれに限定されない。
【００１１】
図２にカバー部材３０を使用した場合の本発明に係るペット用トイレの全体図を示す。
（ａ）は斜視図、（ｂ）は平面図である。
ペット用トイレをトイレ本体１０、枠部材２０及びカバー部材３０に分解した状態を図１に示す。
図２（ｂ）に示した各部位の断面図を図３に示す。
【００１２】
本実施例のペット用トイレは、ペットサークル内に配置しやすいように長方形になっているが、外形形状に制限はない。
トイレ本体１０は樹脂成形品であり、平坦面からなるシーツ載置部１１の周囲に凹部１３を形成し、この凹部１３の外側から傾斜面１２ａにて全周にわたって立ち上げた周壁部１２を有する。
凹部１３の底部には、周廻りに所定の間隔を設けて突設した押え突部１３ａを有する。
この押え突部１３ａの位置に対応して、図９（ａ）に示すように枠部材２０の裏面には有底筒状の押え凹部２７を有する。
これにより、図６に示すようにシーツ載置部に敷いたシーツ１の周縁部を凹部１３内に引っ張るように張設し、押え突部１３ａと押え凹部２７にて、このシーツをしっかり固定することができる。
【００１３】
枠部材２０は樹脂成形品であり、シーツ１の表面部が臨むように開口した開口部２１を有し、この開口部２１の周縁部から斜めに立ち上げた枠周壁部２２を有する。
枠周壁部２２の裏面は、トイレ本体１０の周壁部１２に重なるようになっていて、枠部材２０の開口部１２の近くに図９（ａ）に示したように押え凹部２７を有している。
枠部材２０の一方の長辺側は、図７に断面図を示し、図９（ｂ）に平面図を示すように外側に向けて断面Ｌ字形状枢着片部２６を有し、これに対応してトイレ本体には枢着溝部１４ａと枢着軸部１４を形成することで、枢着片部２６が枢着軸部１４廻りに回動することで枠部材２０が、トイレ本体１０に対して他方の長辺側を上方に開くことができる。
また、トイレ本体１０から取り外しも可能になっている。
枠部材２０の他の長辺部を上方に開いた状態を図１０（ａ）に示し、枢着部の断面斜視図を図１０（ｂ）及び図１１に示した。
【００１４】
長辺の他方の辺部は断面図を図６に示し、平面図を図９に示すように、トイレ本体１０の周壁部１２の外側の傾斜部に突起状の開閉被係止部１５を有し、これに対応させた位置の枠部材２０の枠周壁部２２の外側傾斜面に孔状の開閉係止部２５を有している。
これにより、開閉係止部２５が開閉被係止部１５に嵌合係止することで、枠部材２０をトイレ本体１０に重ねた状態がロックされる、この状態を図４に示した。
また、開閉係止部２５が枠周縁部２２の外側の傾斜面に有しているので片手で簡単に係止を解除することができる。
【００１５】
カバー部材３０は樹脂成形品であり、枠部材２０の開口部２１に位置し、シーツ載置部１１に敷いたシーツの表面を押えるメッシュ部３１を有し、その周縁部から一体的に曲面形状に立ち上げたカバー周壁部３２を全周にわたって有している。
このカバー周壁部３２は、枠周壁部２２の上に重なるようになっている。
カバー部材３０の両側の短辺部には係止片３４を垂下させ、この係止片３４に長孔形状の着脱カバー係止部３３を設けてある。
これに対応して枠部材２０の短辺部には係止片３４が納まる切欠部２４と、その中央部に突部状の着脱枠係止部２３を有する。
これにより図５に示すように、カバー部材３０が枠部材２０に着脱自在になっている。
枠部材２０にカバー部材３０を取り付けた状態で、この枠部材２０がトイレ本体１０に取り付けられるように短辺部に切欠部１６を設けてある。
カバー部材３０を枠部材２０から取り外した状態を図１２に示した。
【符号の説明】
【００１６】
１０      トイレ本体
１１      シーツ載置部
１２      周壁部
１３      凹部
１３ａ    押え突部
１４      枢着軸部
１４ａ    枢着溝部
１５      開閉被係止部
１６      切欠部
２０      枠部材
２１      開口部
２２      枠周壁部
２３      着脱枠係止部
２５      開閉係止部
２６      枢着片部
３０      カバー部材
３１      メッシュ部
３２      カバー周壁部
３３      着脱カバー係止部
３４      係止片
【図１】
2019115317.tif 000003
【図２】
2019115317.tif 000004
【図３】
2019115317.tif 000005
【図４】
2019115317.tif 000006
【図５】
2019115317.tif 000007
【図６】
2019115317.tif 000008
【図７】
2019115317.tif 000009
【図８】
2019115317.tif 000010
【図９】
2019115317.tif 000011
【図１０】
2019115317.tif 000012
【図１１】
2019115317.tif 000013
【図１２】
2019115317.tif 000014